(57)【要約】【課題】上棚かごに大物の食器類や調理器具等が安定して載置できるようにすることにより使い勝手が良い食器洗い機を提供する。【解決手段】上面に上開口部を有する洗浄槽３と、洗浄槽３内に上下に配設され食器類６を載置する下かご１４と上棚かご１５と、下かご１４に小物入れ１６とを備え、上棚かご１５は、補助かご１７と、食器類６を支える背もたれ部２０とを有し、補助かご１７および背もたれ部２０は、上棚かご１５にそれぞれ回動自在に軸支されるとともに上棚かご１５に起立した状態または倒れた状態で保持され、小物入れ１６と上棚かご１５とは横移動可能に構成され、補助かご１７は、上棚かご１５が横移動した後、上棚かご１５が移動してできた空間に倒すことができる構成されたものである。【選択図】図５
2019024983.tif 000002
【特許請求の範囲】
【請求項１】
上面に上開口部を有する洗浄槽と、前記洗浄槽内に上下に配設され食器類を載置する下かごと上棚かごと、前記下かごに小物入れとを備え、
前記上棚かごは、補助かごと、食器類を支える背もたれ部とを有し、
前記補助かごおよび前記背もたれ部は、前記上棚かごにそれぞれ回動自在に軸支されるとともに前記上棚かごに起立した状態または倒れた状態で保持され、
前記小物入れと前記上棚かごとは、横移動可能に構成され、
前記補助かごは、前記上棚かごが横移動した後、前記上棚かごが移動してできた空間に倒すことができるように構成された食器洗い機。
【請求項２】
前記背もたれ部は、前記補助かごとは反対方向に倒れるように構成された請求項１記載の食器洗い機。
【請求項３】
前記上棚かごは、前記小物入れの上部空間を覆わない部分を残すように移動範囲を規制された請求項１または２記載の食器洗い機。
【請求項４】
前記補助かごは前記小物入れの位置とは反対側に構成された請求項１〜３のうちいずれか一項記載の食器洗い機。
【発明の詳細な説明】
【技術分野】
【０００１】
本発明は食器類を洗浄する食器洗い機に関するものである。
【背景技術】
【０００２】
従来の食器洗い機は図６〜図９のように構成されている（例えば、特許文献１参照）。図６は、従来の食器洗い機の側面断面図である。図７および図８は、同じく正面断面図である。特に、図８は、上棚かごを移動した後、補助かごを倒した状態が示される。
【０００３】
図６〜図８に示されるように、前方に前開口部１を有する筐体２はシステムキッチンＳＫに収容され、筐体２の内部に洗浄槽３が設けられている。洗浄槽３は、前開口部１を覆う扉体４と、上面に上開口部５を有する。洗浄槽３の内部に食器類６を収容する食器かご７が配置されている。食器かご７の下方には洗浄ノズル８が回転自在に設けられている。洗浄槽３の底部外側に洗浄ポンプ９が設けられている。洗浄ポンプ９は、洗浄槽３内に溜められた洗浄水を循環させ、洗浄ノズル８より噴射して食器類６を洗浄する。洗浄槽３の左右側部の外側下方にはレール１０が配設されている。レール１０は、筐体２の左右側面の内側に固定されている。洗浄槽３は、このレール１０を介して、前後方向へ移動可能に筐体２の左右側面の内側で支持されている。
【０００４】
使用者は、扉体４に形成された把手部１１をつかみ、洗浄槽３を前方に引き出し、上開口部５より食器類６の出し入れを行う。上開口部５を封止する内蓋１２が、筐体２の左右側面の内側に配したリンク機構１３を介して筐体２内の上部空間に設けられている。筐体２内の上部空間に待機していた内蓋１２は、洗浄槽３が筐体２内に戻される時にリンク機構１３により後方へ移動しつつ降下して上開口部５を閉塞する。
【０００５】
食器かご７は、下かご１４と上棚かご１５の上下２段で構成されている。下かご１４には、皿や椀類が載置される。また、小物入れ１６が配置されており、小物入れ１６に箸やスプーン等の細長いカトラリーが立てて収容される。上棚かご１５にはコップや湯飲み類が載置される。
【０００６】
上棚かご１５の両端には、摺動部材２１が設けられている。また、洗浄槽３の前後の側壁に水平方向にレール部材２２が取り付けられている。摺動部材２１が、レール部材２２の溝部２２ａを摺動する。これにより、上棚かご１５は、下かご１４の上方を食器洗い機の左右方向に横移動が可能となる。すなわち、前方から見て最も左側の上棚かご１５（図７）の位置から最も右側の上棚かご１５（図８）の位置へ横移動が可能となる。上棚かご１５の移動に合わせて、小物入れ１６も横移動が可能である。
【０００７】
図９（ａ）および図９（ｂ）は、上棚かご１５の側面図であり、補助かご１７を立て掛けたり倒したりした状態を示すものである。上棚かご１５は、補助かご１７を備え、補助かご１７を支持する上横桟１５ａと下横桟１５ｂとを有する。補助かご１７は、係止爪１７ｃと軸支部１７ｄとを有する。補助かご１７は、係止爪１７ｃにより上棚かご１５に係止され、軸支部１７ｄにより下横桟１５ｂを中心に回転するように設けられている。上横桟１５ａは、補助かご１７が係止されるほか、コップなどの食器類６を支える背もたれ部としての機能も有している。
【０００８】
図９（ａ）に示されるように、補助かご１７は上棚かご１５の上横桟１５ａに係止爪１７ｃを引っ掛けて立て掛けられている。これによって、図８に示されるように、上棚かご１５が洗浄槽３の壁側に寄せられた時にも邪魔にならず、下かご１４および小物入れ１６
への食器の載置に支障をきたすことがない。
【０００９】
そして、図９（ｂ）に示されるように、補助かご１７は、係止爪１７ｃを上横桟１５ａから上方に外して回転させて倒されることができる。これによって、補助かご１７にも食器類６を載置することができるようになり、より多くの食器類６を収容することができる。
【００１０】
使用者が食器類６の出し入れを行う際には、洗浄槽３を前方に引き出し、上開口部５より行うが、上棚かご１５に食器類６を載置してしまうと下かご１４へ食器類６を載置しにくくなるため、通常は下かご１４から先に載置する。上棚かご１５は、洗浄槽３の内壁側を支点として回動自在で立ち上げられる構成として、下かご１４に食器類６を載置する際の邪魔にならないようにしているものが多い。また、特許文献１のように、上棚かご１５を回動自在とするのではなく、摺動するなどして横方向に移動できるようにした構成もある。
【００１１】
食器洗い機は、使用者によって洗浄槽３が筐体２内に戻され、運転を開始されると、洗浄槽３の底部に配置されたヒータ１８によって洗浄水を加熱しながら、その洗浄水を洗浄ノズル８から食器類６に向かって噴射し、食器類６の汚れを落とす洗浄行程を行う。その後、食器類６をすすいだ後、排水を行い、洗浄槽３内の空気をヒータ１８によって暖めつつ、送風手段１９によって排気する乾燥行程を行って運転を終了する。
【先行技術文献】
【特許文献】
【００１２】
【特許文献１】特開２０１２−１５７１８３号公報
【発明の概要】
【発明が解決しようとする課題】
【００１３】
前記従来の構成では、上棚かご１５は、上方に補助かご１７を支持するとともにコップなどの食器類６を支える上横桟１５ａが設けられている。しかしながら、使用者が大物食器や調理器具等を上棚かご１５に載置しようと思っても、上横桟１５ａが邪魔になって、水平に安定して載置できないという課題を有していた。
【００１４】
本発明は、上記従来の課題を解決するもので、上棚かご１５に大物の食器類や調理器具等が安定して載置できるようにすることにより、使い勝手が良い食器洗い機を提供することを目的とする。
【課題を解決するための手段】
【００１５】
前記従来の課題を解決するために、本発明の食器洗い機は、上面に上開口部を有する洗浄槽と、前記洗浄槽内に上下に配設され食器類を載置する下かごと上棚かごと、前記下かごに小物入れとを備え、前記上棚かごは、補助かごと、食器類を支える背もたれ部とを有し、前記補助かごおよび前記背もたれ部は、前記上棚かごにそれぞれ回動自在に軸支されるとともに前記上棚かごに起立した状態で保持され、前記小物入れと前記上棚かごとは、横移動可能に構成され、前記補助かごは、前記上棚かごが横移動した後、前記上棚かごが移動してできた空間に倒すことができるように構成されたものである。
【００１６】
これによって、前記上棚かごに備えられた補助かごを倒すことにより、多くの食器を収容することができるとともに、さらに背もたれ部を倒すことにより、上棚かごは広範囲にフラットになり、使用者は、上棚かごに大物の食器類または調理器具等を安定して載置できる。
【発明の効果】
【００１７】
本発明の食器洗い機は、上棚かごに備えられた回動可能な補助かごと背もたれ部により、上棚かごの移動後の空間を有効利用することができるとともに、載置できる食器類や調理器具等の種類が増え、使い勝手が良い食器洗い機を提供することができる。
【図面の簡単な説明】
【００１８】
【図１】本発明の実施の形態１における食器洗い機の側面断面図
【図２】本実施の形態の食器洗い機の上棚かごの移動前の正面断面図
【図３】本実施の形態の食器洗い機の上棚かごの移動後の正面断面図
【図４】（ａ）本実施の形態の食器洗い機の上棚かごの補助かごが倒れて背もたれ部が起立した状態の利用例を示す側面図（ｂ）同食器洗い機の上棚かごの補助かごが倒れて背もたれ部も倒れた状態の利用例を示す側面図
【図５】（ａ）同食器洗い機の上棚かごの補助かごおよび背もたれ部が起立した状態を示す要部側面図（ｂ）同補助かごが倒れて背もたれ部が起立した状態を示す要部側面図（ｃ）同補助かごが起立して背もたれ部が倒れた状態を示す要部側面図（ｄ）同補助かごおよび背もたれ部が倒れた状態を示す要部側面図
【図６】従来の食器洗い機の側面断面図
【図７】従来の食器洗い機の正面断面図
【図８】従来の食器洗い機の正面断面図
【図９】（ａ）同食器洗い機の補助かごを立て掛けた状態の側面図（ｂ）同食器洗い機の補助かごを倒した状態の側面図
【発明を実施するための形態】
【００１９】
第１の発明の食器洗い機は、上面に上開口部を有する洗浄槽と、前記洗浄槽内に上下に配設され食器類を載置する下かごと上棚かごと、前記下かごに小物入れとを備え、前記上棚かごは、補助かごと、食器類を支える背もたれ部とを有し、前記補助かごおよび前記背もたれ部は、前記上棚かごにそれぞれ回動自在に軸支されるとともに前記上棚かごに起立した状態または倒れた状態で保持され、前記小物入れと前記上棚かごとは、横移動可能に構成され、前記補助かごは、前記上棚かごが横移動した後、前記上棚かごが移動してできた空間に倒すことができるように構成されたものである。この構成によって、上棚かごに備えられた補助かごを起立した状態から倒すことにより、多くの食器を収容することができる。さらに、背もたれ部を起立させた状態から倒すことにより、上棚かごの上面は広範囲にフラットとなり、大物の食器類や調理器具等を安定して載置できる。
【００２０】
第２の発明は、第１の発明において、前記背もたれ部は、前記補助かごとは反対方向に倒れるように構成されたものである。この構成によって、補助カゴおよび背もたれ部が倒されたときに重なることがない。これにより、それぞれが回動自在で起立して保持されたり倒して保持されたりする構成が容易であるとともに、食器類が安定して載置される。
【００２１】
第３の発明は、第１または第２の発明において、前記上棚かごは、前記小物入れの上部空間を覆わない部分を残すように移動範囲を規制されたものである。この構成によって、小物入れに食器類が収容された状態で、不用意に上棚かごが移動された場合でも、小物入れに収容されたカトラリー類に当たって無理な負荷をかけることがなく、小物入れやカトラリー類を破損させることを防止することができる。
【００２２】
第４の発明は、第１〜第３のいずれかの発明において、前記補助かごは前記小物入れの位置とは反対側に構成されたものである。この構成によって、上棚かごに起立した状態で洗浄槽の壁側に寄せた時には補助かごが邪魔にならず、食器類の載置に支障をきたすことがない。
【００２３】
以下、本発明の実施の形態について、図を参照しながら説明する。なお、この実施の形態によって本発明が限定されるものではない。
【００２４】
（実施の形態１）
図１は、本発明の実施の形態１における食器洗い機の側面断面図である。図２および図３は、本実施の形態における食器洗い機の正面断面図である。図４（ａ）および図４（ｂ）は、上棚かごの側面図である。図５（ａ）〜（ｄ）は、上棚かごの要部側面図である。本実施の形態における食器洗い機の主要な構成は、従来の食器洗い機の構成と同様である。異なる構成は、主に上棚かごの構成である。
【００２５】
図１〜図３に示されるように、前方に前開口部１を有する筐体２はシステムキッチンＳＫに収容されている。筐体２の内部に洗浄槽３が設けられている。洗浄槽３は、前開口部１を覆う扉体４と、上面に上開口部５を有する。洗浄槽３の内部に食器類６を収容する食器かご７が配置されている。食器かご７の下方には洗浄ノズル８が回動自在に設けられている。洗浄槽３の底部外側に洗浄ポンプ９が設けられている。洗浄ポンプ９は、洗浄槽３内に溜められた洗浄水を循環させ、洗浄ノズル８より噴射して食器類６を洗浄する。洗浄槽３の左右側部の外側下方にはレール１０が配設されている。レール１０は、筐体２の左右側面の内側に固定されている。洗浄槽３は、このレール１０を介して、前後方向へ移動可能に筐体２の左右側面の内側で支持されている。
【００２６】
使用者は、扉体４に形成された把手部１１をつかみ、洗浄槽３を前方に引き出し、上開口部５より食器類６の出し入れを行う。上開口部５を封止する内蓋１２が、筐体２の左右側面の内側に配したリンク機構１３を介して筐体２内の上部空間に設けられている。筐体２内の上部空間に待機していた内蓋１２は、洗浄槽３が筐体２内に戻される時にリンク機構１３により後方へ移動しつつ降下して上開口部５を閉塞する。
【００２７】
食器かご７は、下かご１４と上棚かご１５の上下２段で構成されている。下かご１４には、皿や椀類が載置される。また、小物入れ１６が配置されており、小物入れ１６に箸やスプーン等の細長いカトラリーが立てて収容される。上棚かご１５にはコップや湯飲み類が載置される。
【００２８】
上棚かご１５の両端には、摺動部材２１が設けられている。また、洗浄槽３の前後の側壁に水平方向にレール部材２２が取り付けられている。摺動部材２１が、レール部材２２の溝部２２ａを摺動する。これにより、上棚かご１５は、下かご１４の上方を食器洗い機の左右方向に横移動が可能となる。すなわち、図２に示される、前方から見て最も左側の上棚かご１５の位置から、図３に示される、最も右側の上棚かご１５の位置へ横移動が可能となる。このとき、小物入れ１６も上棚かご１５に合わせて横移動される。
【００２９】
レール部材２２は、図３に示されように、溝部２２ａの長さを調整して、上棚かご１５の移動範囲を規制している。具体的には、小物入れ１６が最も右側の位置にあるとき、最も右側の上棚かご１５が小物入れ１６の上部空間を覆うことがないように構成されている。すなわち、上棚かご１５は、小物入れ１６の上部空間を覆わない部分を残すように移動範囲を規制されている。この構成によって、小物入れ１６に食器類６が収容された状態で、不用意に上棚かご１５が移動された場合でも、小物入れ１６に収容されたカトラリー類に当たって無理な負荷をかけることがなく、小物入れ１６やカトラリー類を破損させることを防止することができる。
【００３０】
上棚かご１５は、補助かご１７と、コップなどの食器類６を支える背もたれ部２０とを有する。図４（ａ）は、補助かご１７が倒れて背もたれ部２０が起立した状態で、複数の食器類６が載置された利用例が示される。図４（ｂ）は、補助かご１７が倒れて背もたれ
部２０も倒れた状態で、大物の食器類６が載置された利用例が示される。図５（ａ）は、補助かご１７および背もたれ部２０が起立した状態が示される。図５（ｂ）は、補助かご１７が倒れて背もたれ部２０が起立した状態が示される。図５（ｃ）は、補助かご１７が起立して背もたれ部２０が倒れた状態が示される。図５（ｄ）は、補助かご１７および背もたれ部２０が倒れた状態が示される。
【００３１】
補助かご１７は、上棚かご１５で小物入れ１６とは反対側の一辺に回動自在に軸支され、起立した状態で保持されたり(図５（ａ）、（ｃ）)、倒れた状態で保持されたり(図５（ｂ）、（ｄ）)できるように設けられている。背もたれ部２０は、上棚かご１５で小物入れ１６とは反対側の一辺に回動自在に軸支され、起立した状態で保持されたり(図５（ａ）、（ｂ）)、倒れた状態で保持されたり(図５（ｃ）、（ｄ）)できるように設けられている。補助かご１７および背もたれ部２０は、起立した状態では、重なるように保持される(図５（ａ）)。補助かご１７は、小物入れ１６とは反対方向に倒れるように構成されている。背もたれ部２０は、補助かご１７とは反対方向に倒れ、上棚かご１５の上面に重なるように構成されている。
【００３２】
このように、補助かご１７は小物入れ１６の位置とは反対側に構成されたことにより、補助かご１７は、上棚かご１５を洗浄槽３の壁側に寄せた時にも邪魔にならず、下かご１４、小物入れ１６および上棚かご１５への食器の載置に支障をきたすことがない。
【００３３】
上棚かご１５には、補助かご１７を回動可能に軸支する第１の横桟１８ａが設けられている。補助かご１７は、一端に細長い形状の長軸支孔１７ａが形成されている。補助かご１７は、長軸支孔１７ａに第１の横桟１８ａが通過するように構成されている。また、第１の横桟１８ａからわずかに離れた斜め下位置に、補助かご１７が起立するときに当接する第２の横桟１８ｂが設けられている。補助かご１７は、垂直に持ち上げられた状態で、長軸支孔１７ａの長手方向の長さ分だけ上下に移動する。
【００３４】
そして、図５（ａ）、（ｃ）に示されるように、その移動範囲で補助かご１７が最も下方に位置する状態で、わずかに左側に倒されると第２の横桟１８ｂに当接して起立した状態で保持される。また、図５（ｂ）、（ｄ）に示されるように、その移動範囲で補助かご１７が最も上方に補助かご１７が位置する状態から、図面上で左方向に水平状態まで回動されると、倒された状態で保持される。
【００３５】
上棚かご１５には、背もたれ部２０を回動可能に軸支する第３の横桟１８ｃが設けられている。背もたれ部２０は、一端に軸支孔２０ａが形成されている。背もたれ部２０は、軸支孔２０ａに第３の横桟１８ｃを通過するように構成されている。背もたれ部２０は、図５（ａ）、（ｂ）に示されるように、補助かご１７と重なるようにわずかに左方向に倒れ、第２の横桟１８ｂに当接して起立するように構成されている。背もたれ部２０は、図５（ｃ）、（ｄ）に示されるように、図面上で右方向にほぼ水平状態まで倒される。
【００３６】
このような構成によって、図４（ａ）に示されるように、補助かご１７が倒されることにより広い範囲にコップなどを載置できるようになり、より多くの食器類６を収容することが可能になる。さらに、図４（ｂ）に示されるように、補助かご１７が倒された状態で背もたれ部２０が倒されることにより、上棚かご１５の上面は広範囲にフラットとなる。これによって、使用者は、大物の食器類６、または、フライパンおよび浅型鍋などの調理器具等を上棚かご１５に安定して載置できる。
【００３７】
以上説明したように、上棚かご１５に備えられた回動可能な補助かご１７と背もたれ部２０により、上棚かご１５の移動後の空間を有効利用することができるとともに、載置できる食器や調理器具等の種類が増え、使い勝手が良い食器洗い機となる。
【産業上の利用可能性】
【００３８】
以上のように、本発明にかかる食器洗い機は、上棚かごに備えられた回動可能な補助かごと背もたれ部により、上棚かごの移動後の空間を有効利用することができるとともに、載置できる食器類や調理器具等の種類が増えるものであり、システムキッチンにビルトインして使用されるタイプ等、特に洗浄槽の開口部が上方に形成された食器洗い機等に有用である。
【符号の説明】
【００３９】
１  前開口部
２  筐体
３  洗浄槽
５  上開口部
６  食器類
７  食器かご
１４  下かご
１５  上棚かご
１６  小物入れ
１７  補助かご
２０  背もたれ部
【図１】
2019024983.tif 000003
【図２】
2019024983.tif 000004
【図３】
2019024983.tif 000005
【図４】
2019024983.tif 000006
【図５】
2019024983.tif 000007
【図６】
2019024983.tif 000008
【図７】
2019024983.tif 000009
【図８】
2019024983.tif 000010
【図９】
2019024983.tif 000011